(57)【特許請求の範囲】
【請求項１】
接続先により呼び出し音が異なる家庭内通信設備と、家庭内通信設備の呼出音を識別し識別信号を発生する呼出音識別手段と、前記識別信号をトイレ内の機器を操作するリモコン装置に送信する識別信号送信手段とを備え、前記識別信号を受信する識別信号受信手段と、受信された識別信号に基づいて特定された接続先を表示する表示手段とを備えたトイレ内機器のリモコン装置システム。
【請求項２】
家庭内通信設備はコードレス電話機とし、前記コードレス電話機に操作信号を送信するリモコン装置に備えられたコードレス電話機操作信号送信手段とを備えた請求項１記載のトイレ内機器のリモコン装置システム。
【請求項３】
コードレス電話機の操作信号を学習するコードレス電話機操作信号学習手段をリモコン装置に備えた請求項２記載のトイレ内機器のリモコン装置システム
【請求項４】
音声を入力する音声入力手段と、前記音声信号を記録する音声信号記録手段と、前記音声信号記録手段に記録された音声信号を読み出し通話装置に出力する音声信号出力手段とを備えた請求項２または請求項３記載のトイレ内機器のリモコン装置システム。
【請求項５】
家庭内通信設備は玄関ドアホン親機とし、前記玄関ドアホン親機の操作信号を送信するリモコン装置に備えられた玄関ドアホン親機操作信号送信手段とを備え、前記操作信号を受信する玄関ドアホン親機操作信号受信手段と、音声を入力する音声入力手段と、前記音声信号を記録する音声信号記録手段と、前記音声信号記録手段に記録された音声信号を読み出し玄関ドアホン親機を通じて玄関ドアホン子機に出力する音声信号出力手段とを備えた請求項１記載のトイレ内機器のリモコン装置システム。
【請求項６】
玄関ドアロックの施開錠を行うドアロック制御装置の操作信号を送信する玄関ドアロック制御装置操作信号送信手段をリモコン装置に備えた請求項１または請求項５のいずれか１項記載のトイレ内の機器のリモコン装置システム。
【発明の詳細な説明】
【０００１】
【発明の属する技術分野】
本発明は温水洗浄便座等のトイレ内で使用する機器に関する。
【０００２】
【従来の技術】
家庭における宅内通信は電話を中心に発達している。従来、部屋間のインターホン、玄関ドアホン等が普及していたが、電話にそれらの機能を盛り込んだものが見られる。たとえばコードレス電話機に玄関インターホンを接続して玄関からの呼び出しに対して、
（１）コードレス電話の子機、親機を用いて応答するもの。
【０００３】
（２）同応答を受話器を持たないでも、スピーカー＆マイク内蔵で家事や仕事の手を止めずにできるもの。
【０００４】
（３）コードレス電話の子機を数台保有し、インターホン的に使用するもの。等が挙げられる。このような商品の例を図５に示す。図５においてＡ１は玄関ドアホン子機、Ａ２はターミナルボックス、Ａ３はコードレス電話親機、Ａ４はコードレス電話子機である。玄関ドアホン子機Ａ１はターミナルボックスＡ２を介して、コードレス電話親機Ａ３に接続されている。ターミナルボックスＡ２には外部の電話回線が接続されている。別室等に設けられたコードレス電話子機Ａ４も同親機Ａ３に接続されている。玄関ドアホン子機Ａ１からの呼出に対しては、コードレス電話親機Ａ３が「ピンポーン」等の呼出音を発生し、使用者の応答を待つ。また外部の電話回線からの呼出に対しては、ターミナルボックスＡ２を介してコードレス電話親機Ａ３が「プルルルル・・」等の呼出音を発生し、使用者の応答を待つ。このような宅内通信の発達においては使用者に知らせる例がいろいろ考案されている。たとえばＴＶを見ているとき使用者が玄関ドアホンからの呼出に対して、ＴＶ画面に玄関ドアホン付属のカメラからの画像を映し出し、使用者に玄関の来客を知らせる例がある。この例として特開平４−２３４２６４号公報「カメラ付ドアホン装置」では、図６に示すとおり、玄関ドアホンＢ１からの呼出に連動し、カメラＢ２が作動し、出力する映像信号をＲＦ変調部Ｂ３にて高周波信号に変調され、共聴ラインに混合され受像機Ｂ４に伝送する。同呼び出し操作にて制御部Ｂ５から呼び出し操作した玄関を識別する信号がＨＰＢＸＢ６を介して制御部Ｂ７に送出され、この信号を判別部Ｂ８にて判別し、判別に基づきリモコン信号発生部Ｂ９より送出される信号にて受像機の受信チャンネルを切り替え、玄関の画像を映出するものである。またトイレ内の機器においてこのような外部との関連を考案した例は少なく、たとえば次の従来技術例等がある。特開平５ー２２８１１６号公報「健康管理ネットワークシステム」では、図７に示すとおり、トイレＣ１において測定された生体情報をインターフェースユニットＣ２を介して送信し、コントローラＣ３に蓄積し、健康管理用のエルゴメータＣ４等の他の住設機器がそれを受信して利用するものが考案されている。
【０００５】
また特開平７ー７６８６９号公報「温水洗浄便座」では、図８に示すとおり、トイレ外から温水洗浄便座Ｄ１の運転を制御したり、トイレ内からセキュリティ情報等をトイレ外へ伝達することにより、トイレを快適にしたりトイレタイムの安心度を高めるものが考案されている。これは制御信号を送受信する温水洗浄便座送受信器Ｄ２と、トイレ室外で使用される室外リモコンＤ３とこのリモコン内部に設けられ、温水洗浄便座より伝搬される制御信号を送受信する室外リモコン送受信器Ｄ４と、温水洗浄便座Ｄ１とリモコンＤ３との送受信を制御して温水洗浄便座Ｄ１の作動を制御する制御器Ｄ５とを備えたものである。
【０００６】
【発明が解決しようとする課題】
上記のように宅内通信により便利になった生活だが、トイレに入った時は玄関ドアホンの呼出、外部電話回線からの呼出等に対して聞こえない、聞こえても対応ができない等の課題が存在する。トイレに入るときは生理現象であるが故に、わざわざトイレに入るときに電話がかかってくる、または玄関に人がくる、等に対して予測してコードレス電話子機をトイレに持って入る等の準備をとる人は少ない。またそのためにトイレ内にまでコードレス電話子機を常設することもおおげさに感じる。宅内通信の発達事例として挙げた商品はこのような課題に対しては、端末をトイレ内に設置、または持ち込むことを要求する。そのため使用者に対して過剰な設備に感じる新たな課題を生じる。むしろトイレ内の機器にトイレ内で用便中に電話または玄関ドアホンからの呼出を確認する等の機能がついていれば、トイレを出た後で対応することで済むことも多く、上記課題に対して特別な配線を設けたり、トイレの中にコードレス電話子機等を持ち込んだりしなくても済むので望ましい。また簡単なメッセージを伝える等の簡易な対応ができれば、なお便利である。しかし、トイレと外部の通信、制御関連で従来技術例に挙げたものは、トイレにおいて測定された生体情報を利用したり、トイレ外部からの温水洗浄便座の遠隔操作またはトイレからのセキュリティ情報のトイレ外への伝達であるので、上記課題に対応できないし、簡易でもない。
【０００７】
【課題を解決するための手段】
本発明は上記の課題を解決するために第１の構成として、接続先により呼び出し音が異なる家庭内通信設備と、家庭内通信設備の呼出音を識別し識別信号を発生する呼出音識別手段と、前記識別信号をトイレ内の機器を操作するリモコン装置に送信する識別信号送信手段とを備え、前記識別信号を受信する識別信号受信手段と、受信された識別信号に基づいて特定された接続先を表示する表示手段とを備えたトイレ内機器のリモコン装置システムとしたものである。
【０００８】
また上記の課題を解決するために第１の構成に加えて第２の構成として家庭内通信設備はコードレス電話機とし、前記コードレス電話機に操作信号を送信するリモコン装置に備えられたコードレス電話機操作信号送信手段とを備えたトイレ内機器のリモコン装置システムとしたものである。
【０００９】
また上記の課題を解決するために第２の構成に加えて第３の構成としてコードレス電話機の操作信号を学習するコードレス電話機操作信号学習手段をリモコン装置に備えたトイレ内機器のリモコン装置システムとしたものである。
【００１０】
また上記の課題を解決するために第２ないし第３の構成に加えて第４の構成として音声を入力する音声入力手段と、前記音声信号を記録する音声信号記録手段と、前記音声信号記録手段に記録された音声信号を読み出し通話装置に出力する音声信号出力手段とを備えたトイレ内の機器のリモコン装置システムとしたものである。
【００１１】
また上記の課題を解決するために第１の構成に加えて第５の構成として家庭内通信設備は玄関ドアホン親機とし、前記玄関ドアホン親機の操作信号を送信するリモコン装置に備えられた玄関ドアホン親機操作信号送信手段とを備え、前記操作信号を受信する玄関ドアホン親機操作信号受信手段と、音声を入力する音声入力手段と、前記音声信号を記録する音声信号記録手段と、前記音声信号記録手段に記録された音声信号を読み出し玄関ドアホン親機を通じて玄関ドアホン子機に出力する音声信号出力手段とを備えたトイレ内機器のリモコン装置システムとしたものである。
【００１２】
また上記の課題を解決するために第１ないし第５の構成に加えて第６の構成として玄関ドアロックの施開錠を行うドアロック制御装置の操作信号を送信する玄関ドアロック制御装置操作信号送信手段をリモコン装置に備えたトイレ内の機器のリモコン装置システムとしたものである。
【００１３】
【発明の実施の形態】
本発明は上記第１の構成によれば、家庭内通信設備の呼出音発生部近傍に設けた呼出音識別手段が家庭内通信設備の呼出音を識別し、玄関ドアホンか外部回線の電話かを識別した信号を発生し、識別信号送信手段が前記識別信号を送信し、トイレ内の機器を操作するリモコン装置に備えた識別信号受信手段が送信された前記識別信号を受信し、表示手段が受信された識別信号に基づいて特定された玄関ドアホンか外部回線の電話かの家庭内通信設備の種別を表示するものである。
【００１４】
また第２の構成によれば上記構成における作用に加えて、家庭内通信設備であるコードレス電話機の外線接続、保留等の操作信号をトイレ内の機器を操作するリモコン装置に備えたコードレス電話機操作信号送信手段が送信するものである。
【００１５】
また第３の構成によれば上記構成における作用に加えて、トイレ内の機器を操作するリモコン装置に備えたコードレス電話機操作信号学習手段がコードレス電話機の外線接続、保留等の操作信号を学習するものである。
【００１６】
また第４の構成によれば上記第２構成における作用に加えて、予め音声変調手段が使用者の「少々お待ください」等のメッセージ音声を信号に変換し、音声信号記録手段が前記音声信号を記録しておき、コードレス電話機の外線接続の操作信号をトイレ内の機器を操作するリモコン装置に備えたコードレス電話機操作信号送信手段が送信し、コードレス電話機が外線と接続されたときに、音声信号入力手段が前記音声信号記録手段に記録された音声信号を読み出し通話装置に入力し相手にメッセージを伝え、その後コードレス電話機の保留の操作信号をコードレス電話機操作信号送信手段が送信するものである。
【００１７】
また第５の構成によれば上記第１構成における作用に加えて、予め音声変調手段が使用者の「少々お待ください」等のメッセージ音声を信号に変換し、音声信号記録手段が前記音声信号を記録しておき、トイレ内の機器を操作するリモコン装置に備えた家庭内通信設備である玄関ドアホン親機操作信号送信手段が前記玄関ドアホン親機のドアホン子機との通話開始等の操作信号を送信し、玄関ドアホン親機操作信号受信手段が前記操作信号を受信し、前記玄関ドアホン親機がドアホン子機との通話開始状態になった後、音声信号入力手段が前記音声信号記録手段に記録された音声信号を読み出し前記玄関ドアホン親機に入力し、玄関ドアホン子機から来訪者にメッセージを伝えるものである。
【００１８】
また第６の構成によれば上記構成における作用に加えて、トイレ内の機器を操作するリモコン装置に備えた玄関ドアロック制御装置操作信号送信手段が玄関ドアロックの施開錠を行うドアロック制御装置の操作信号を送信し、玄関ドアロックを施開錠するものである。
【００１９】
（実施例１）
以下、本発明の第１の実施例について、図１を参照しながら説明する。図１は、本発明の第１の実施例における全体構成図である。図１において、１は家庭内通信設備であるホームテレホン、５１は別の家庭内通信設備である玄関ドアホン子機、２は家庭内通信設備の呼出音を識別し識別信号を発生する呼出音識別手段、３は前記識別信号を送信する識別信号送信手段、４はトイレ、５はトイレ内の機器である温水洗浄便座、６はトイレ内の機器を操作するリモコン装置、７は送信された前記識別信号を受信する識別信号受信手段、８は受信された識別信号に基づいて特定された家庭内通信設備を表示する表示手段であり、受信手段７および識別手段８はリモコン装置６に設けられている。
【００２０】
次に、上記のように構成された本発明の第１の実施例の動作を説明する。使用者がトイレ４内で、便器９上の温水洗浄便座５に座り用足しをする。用足し中に外線電話または玄関ドアホン５１からの呼出を受けると、ホームテレホン１が呼出音を発生する。このとき呼出音は各機器によって異なり、たとえば外線電話からの呼出であれば「プルルル・・」、玄関ドアホン５１からの呼出であれば「ピンポーン」と鳴る。ホームテレホン１の呼出音発生部近傍に設けた呼出音識別手段２が呼出音の違いにより外線電話呼出か玄関ドアホン呼出かを識別し、識別信号送信手段３が前記識別信号を送信する。トイレ４内の機器を操作するリモコン装置６に備えた識別信号受信手段７が送信された識別信号を受信し、表示手段８が受信された識別信号に基づいて特定された玄関ドアホンか外部回線の電話かの家庭内通信設備の種別を表示するものである。
【００２１】
本発明の第１の実施例によれば、第１に使用者がトイレ内で用足し中に外線電話または玄関ドアホンからの呼出を受けても、どちらの呼出かを表示によって確認することができ、トイレを出た後すぐに対応することできる。また第２にホームテレホンとトイレが離れていて聞こえにくい場合でも、トイレ内の表示によって知ることができる。
【００２２】
（実施例２）
次に、本発明の第２の実施例について、図２を参照しながら説明する。
【００２３】
図２は、本発明の第２の実施例における全体構成図である。図２において、１は家庭内通信設備であるホームテレホン（コードレス電話機）、２は家庭内通信設備の呼出音を識別し識別信号を発生する呼出音識別手段、３は前記識別信号を送信する識別信号送信手段、４はトイレ、５はトイレ内の機器である温水洗浄便座、６はトイレ内の機器を操作するリモコン装置、７は送信された前記識別信号を受信する識別信号受信手段、８は受信された識別信号に基づいて特定された家庭内通信設備を表示する表示手段、２１は前記ホームテレホン（コードレス電話機）の外線接続、保留等の操作信号を送信するコードレス電話機操作信号送信手段、３１はコードレス電話機の操作信号を学習するコードレス電話機操作信号学習手段であり、受信手段７、識別手段８、コードレス電話機操作信号送信手段２１、およびコードレス電話機操作信号学習手段３１はリモコン装置６に設けられている。４１は使用者の音声を信号に変換する音声変調手段、４２は前記音声信号を記録する音声信号記録手段、４３は前記音声信号記録手段に記録された音声信号を読み出しコードレス電話機１の通話装置に入力する音声信号入力手段である。
【００２４】
次に、上記のように構成された本発明の第２の実施例の動作を説明する。使用者がトイレ４内で、便器９上の温水洗浄便座５に座り用足しをする。用足し中に外線電話からの呼出を受けると、ホームテレホン１が呼出音を発生する。ホームテレホン１の呼出音発生部近傍に設けた呼出音識別手段２が呼出音により外線電話呼出を識別し、識別信号送信手段３が前記識別信号を送信する。トイレ４内の機器を操作するリモコン装置６に備えた識別信号受信手段７が送信された識別信号を受信し、表示手段８が受信された識別信号に基づいて外線電話からの呼出を表示する。コードレス電話機操作信号送信手段２１が予め定めてあるコードレス電話機の外線接続および通話保留の操作信号を送信する。またコードレス電話機の外線接続および通話保留の操作信号が予め定めてあるものと異なる場合には、コードレス電話機操作信号学習手段３１がコードレス電話機の外線接続、保留等の操作信号を学習することにより、予め定めてある信号と同様にコードレス電話機操作信号送信手段２１が送信できる。また電話を保留させるだけでなく簡単なメッセージを送りたいときには予め音声変調手段４１が使用者の「少々お待ください」等のメッセージ音声を信号に変換し、音声信号記録手段４２が前記音声信号を記録しておき、コードレス電話機１が外線と接続されたときに、音声信号入力手段４３が前記音声信号記録手段４２に記録された音声信号を読み出し通話装置に入力し相手にメッセージを伝え、その後コードレス電話機１の保留の操作信号をコードレス電話機操作信号送信手段２１が送信し電話を保留状態にするものである。
【００２５】
本発明の第２の実施例によれば、第１に使用者がトイレ内で用足し中に外線電話からの呼出を受けても、トイレから予め定めてあるコードレス電話機１の外線接続、保留の操作信号をトイレ内の機器を送信することにより、電話を保留状態にすることができる。第２にコードレス電話機の外線接続および通話保留の操作信号が予め定めてあるものと異なる場合には、コードレス電話機操作信号学習手段３１がコードレス電話機の外線接続、保留等の操作信号を学習することにより、対応することができる。第３に電話を保留状態にする前に相手に「少々お待ください」等のメッセージを伝えることができる。
【００２６】
（実施例３）
次に、本発明の第３の実施例について、図３を参照しながら説明する。図３は、本発明の第３の実施例における全体構成図である。図３において、１は家庭内通信設備であるホームテレホン（玄関ドアホン親機）、５１は別の家庭内通信設備である玄関ドアホン子機、２は家庭内通信設備の呼出音を識別し識別信号を発生する呼出音識別手段、３は前記識別信号を送信する識別信号送信手段、４はトイレ、５はトイレ内の機器である温水洗浄便座、６はトイレ内の機器を操作するリモコン装置、７は送信された前記識別信号を受信する識別信号受信手段、８は受信された識別信号に基づいて特定された家庭内通信設備を表示する表示手段、５３は玄関ドアホン親機の操作信号を送信する玄関ドアホン親機操作信号送信手段であり、受信手段７、識別手段８、および玄関ドアホン親機操作信号送信手段５３はリモコン装置６に設けられている。５４は前記操作信号を受信する玄関ドアホン親機操作信号受信手段、５５は使用者の音声を信号に変換する音声変調手段、５６は前記音声信号を記録する音声信号記録手段、５７は前記音声信号記録手段に記録された音声信号を読み出し玄関ドアホン親機を通じて玄関ドアホン子機に入力する音声信号入力手段である。
【００２７】
次に、上記のように構成された本発明の第３の実施例の動作を説明する。使用者がトイレ４内で、便器９上の温水洗浄便座５に座り用足しをする。用足し中に玄関ドアホン５１からの呼出を受けると、ホームテレホン１が呼出音を発生する。ホームテレホン１の呼出音発生部近傍に設けた呼出音識別手段２が呼出音により玄関ドアホン呼出を識別し、識別信号送信手段３が前記識別信号を送信する。トイレ４内の機器を操作するリモコン装置６に備えた識別信号受信手段７が送信された識別信号を受信し、表示手段８が受信された識別信号に基づいて玄関ドアホンからの呼出を表示する。予め音声変調手段５５が使用者の「少々お待ください」等のメッセージ音声を信号に変換し、音声信号記録手段５６が前記音声信号を記録しておく。使用者が表示手段８を見て玄関ドアホン親機操作信号送信手段５３を操作し、前記ホームテレホン（玄関ドアホン親機）１のドアホン子機５１との通話開始の操作信号を送信し、玄関ドアホン親機操作信号受信手段５４が前記操作信号を受信し、前記ホームテレホン（玄関ドアホン親機）１がドアホン子機との通話開始状態になった後、音声信号入力手段５７が前記音声信号記録手段５６に記録された音声信号を読み出し前記ホームテレホン（玄関ドアホン親機）１に入力し、玄関ドアホン子機５１から来訪者にメッセージを伝えるものである。
【００２８】
本発明の第３の実施例によれば、第１に使用者がトイレ内で用足し中に玄関ドアホンからの呼出を受けても、来訪者にメッセージを伝えることにより、相手に待っていてもらうことができる。
【００２９】
（実施例４）
次に、本発明の第４の実施例について、図３および図４を参照しながら説明する。図３および図４は本発明の第４の実施例における全体構成図である。図３において、１は家庭内通信設備であるホームテレホン（玄関ドアホン親機）、５１は別の家庭内通信設備である玄関ドアホン子機、２は家庭内通信設備の呼出音を識別し識別信号を発生する呼出音識別手段、３は前記識別信号を送信する識別信号送信手段、４はトイレ、５はトイレ内の機器である温水洗浄便座、６はトイレ内の機器を操作するリモコン装置、７は送信された前記識別信号を受信する識別信号受信手段であり、受信手段７、および識別手段８はリモコン装置６に設けられている。図４において、６４は予め定めてある玄関ドアロック操作信号を送信する玄関ドアロック操作信号送信手段で、リモコン装置６に設けられている。６１は玄関ドアロックの施開錠を行う玄関ドアロック制御装置、６３は前記玄関ドアロック操作信号を受信する玄関ドアロック操作信号受信手段、６２は前記玄関ドアロック操作信号により施開錠を行う玄関ドアロック施開錠手段であり、玄関ドアロック操作信号受信手段６３、および玄関ドアロック施開錠手段は玄関ドアロック制御装置６１に設けられている。
【００３０】
次に、上記のように構成された本発明の第４の実施例の動作を説明する。使用者がトイレ４内で、便器９上の温水洗浄便座５に座り用足しをする。用足し中に玄関ドアホン５１からの呼出を受けると、ホームテレホン１が呼出音を発生する。ホームテレホン１の呼出音発生部近傍に設けた呼出音識別手段２が呼出音により玄関ドアホン呼出を識別し、識別信号送信手段３が前記識別信号を送信する。トイレ４内の機器を操作するリモコン装置６に備えた識別信号受信手段７が送信された識別信号を受信し、表示手段８が受信された識別信号に基づいて玄関ドアホンからの呼出を表示する。使用者が玄関ドアが開いていることを思いだし不用心を感じたとき、トイレ内の機器を操作するリモコン装置６に備えた玄関ドアロック制御装置操作信号送信手段６４から玄関ドアロックの施錠を行うドアロック制御装置６１の操作信号を送信し、ドアロック制御装置６１の玄関ドアロック操作信号受信手段６３が、前記玄関ドアロック操作信号を受信し、玄関ドアロック施開錠手段６２が玄関ドアロックを施錠するものである。
【００３１】
本発明の第４の実施例によれば、第１に使用者がトイレ内で用足し中に玄関ドアホンからの呼出を受けて、玄関ドアが開いていることを思いだし不用心を感じたとき、トイレ内の機器を操作するリモコン装置６に備えた玄関ドアロック制御装置操作信号送信手段６４から玄関ドアロックの施錠を行うドアロック制御装置６１の操作信号を送信し、玄関ドアロックを施錠することができる。
【００３２】
【発明の効果】
以上の説明から明らかなように本発明によれば次の効果が得られる。
【００３３】
（１）使用者がトイレ内で用足し中に外線電話または玄関ドアホンなどの家庭内通信設備からの呼出を受けても、どちらの呼出かを表示によって確認することができ、トイレを出た後すぐに対応することできる。またホームテレホンとトイレが離れていて聞こえにくい場合でも、トイレ内の表示によって知ることができる。
【００３４】
（２）使用者がトイレ内で用足し中に外線電話によるコードレス電話機からの呼出を受けても、トイレから電話を保留状態にすることができるので、相手に自分が不在だと勘違いされて電話を切られることを防ぐことができる。
【００３５】
（３）コードレス電話機の操作信号が予め定めてあるものと異なる場合でも、操作信号を学習させることができるので、電話機の買い換え等にも対応できる。
【００３６】
（４）コードレス電話を保留状態にする前に相手に「少々お待ください」等のメッセージを伝えることができるので、相手に対してより親切である。
【００３７】
（５）使用者がトイレ内で用足し中に玄関ドアホン子機による玄関ドアホン親機からの呼出を受けても、来訪者に音声信号記録手段に記録されたメッセージを音声入力手段から玄関ドアホン子機に入力し音声として相手に伝えることにより、用足しが終わるまで相手に待っていてもらうことができる。
【００３８】
（６）使用者がトイレ内で用足し中に玄関ドアホンからの呼出を受けて、玄関ドアが開いていることを思いだし不用心を感じたとき、玄関ドアロックを施錠することができるので安心して用足しができる。
【図面の簡単な説明】
【図１】本発明の第１の実施例におけるトイレ内の機器のリモコン装置の全体構成図
【図２】本発明の第２の実施例におけるトイレ内の機器のリモコン装置の全体構成図
【図３】本発明の第３および第４の実施例におけるトイレ内の機器のリモコン装置の全体構成図
【図４】本発明の第４の実施例におけるトイレ内の機器のリモコン装置の全体構成図
【図５】従来のトイレ内の機器のリモコン装置の説明図
【図６】従来のトイレ内の機器のリモコン装置の説明図
【図７】従来のトイレ内の機器のリモコン装置の説明図
【図８】従来のトイレ内の機器のリモコン装置の説明図
【符号の説明】
１  家庭内通信設備
２  呼出音識別手段
３  識別信号送信手段
４  トイレ
５  トイレ内の機器
６  リモコン装置
７  識別信号受信手段
８  表示手段
２１  コードレス電話機操作信号送信手段
３１  コードレス電話機操作信号学習手段
４１  音声変調手段
４２  音声信号記録手段
４３  音声信号入力手段
５１  玄関ドアホン子機
５３  玄関ドアホン親機操作信号送信手段
５４  玄関ドアホン親機操作信号受信手段
５５  音声変調手段
５６  音征信号記録手段
５７  音声信号入力手段
６１  玄関ドアロック制御装置
６２  玄関ドアロック施開錠手段
６３  玄関ドアロック操作信号受信手段
６４  玄関ドアロック操作信号送信手段
【図１】
0003718907.tif 000002
【図２】
0003718907.tif 000003
【図３】
0003718907.tif 000004
【図４】
0003718907.tif 000005
【図５】
0003718907.tif 000006
【図６】
0003718907.tif 000007
【図７】
0003718907.tif 000008
【図８】
0003718907.tif 000009